(57)【要約】【課題】本発明は、支持板と下ランプケースの組立の困難性を低減することができる発光装置を提供することにある。【解決手段】本発明に係る発光装置は、下ランプケース、支持部、発光素子及び上ランプケースを含む。下ランプケースは、収容溝及び一対の第１の係合部を有する。収容溝は、一対の第１の係合部の間に位置する。支持部は、発光素子設置エリアと、発光素子設置エリア以外のエリアに位置する保持部と、を有する。支持部は、収容溝の内部に設置される。発光素子は、発光素子設置エリアの上に設置される。上ランプケースは、一対の第２の係合部を有する。第１の係合部と第２の係合部を相互に係合することによって、上ランプケースは、支持部と発光素子をカバーする。【選択図】図２Ｂ
2013191536.tif 000002
【特許請求の範囲】
【請求項１】
一対の第１の係合部と、前記一対の第１の係合部の間に位置する収容溝と、を有する下ランプケースと、
発光素子設置エリアと、前記発光素子設置エリア以外のエリアに位置する保持部と、を有しており、前記収容溝の内部に設置される支持部と、
前記発光素子設置エリアの上に設置される発光素子と、
一対の第２の係合部を有する上ランプケースと、
を含み、
前記一対の第１の係合部と前記一対の第２の係合部を相互に係合することによって、前記上ランプケースは前記支持部と前記発光素子をカバーすることを特徴とする発光装置。
【請求項２】
前記発光素子設置エリアは前記保持部の表面に凹設されることを特徴とする請求項１に記載の発光装置。
【請求項３】
前記下ランプケースは一対のスロットを更に含み、
前記一対のスロットは、前記収容溝と前記一対の第１の係合部との間のエリアに平行設置されることを特徴とする請求項１又は２に記載の発光装置。
【請求項４】
前記支持部は、前記保持部の両側から延伸してなる一対の挿入部を更に含み、
前記一対の挿入部が前記スロットの内部に挿入されることによって、前記支持部が前記収容溝の内部に固定されることを特徴とする請求項３に記載の発光装置。
【請求項５】
前記収容溝の内部における対応する両側に位置するように、前記収容溝の内部には一対の係止溝が設けられることを特徴とする請求項１又は２に記載の発光装置。
【請求項６】
前記支持部は、前記保持部の両側から延伸してなる一対の係止部を更に含み、
前記一対の係止部と前記一対の係止溝を係止することによって、前記支持部が前記収容溝に固定されることを特徴とする請求項５に記載の発光装置。
【請求項７】
前記上ランプケースは、前記保持部を押付けるための一対の押付部を更に有することを特徴とする請求項１〜６のいずれか１項に記載の発光装置。
【請求項８】
前記上ランプケースと前記下ランプケースの何れも、長尺状であり、長軸と短軸を有し、
前記上ランプケースと前記下ランプケースは、前記発光装置の長軸方向に沿って延伸することを特徴とする請求項７に記載の発光装置。
【発明の詳細な説明】
【技術分野】
【０００１】
本発明は、発光装置に関するものであり、特に組立の困難性を低減することができる発光装置に関するものである。
【背景技術】
【０００２】
発光ダイオード照明管（Ｌｉｇｈｔ Ｅｍｉｔｔｉｎｇ Ｄｉｏｄｅ Ｔｕｂｅ、ＬＥＤ Ｔｕｂｅ）は、発光ダイオードを光源として使用する照明器具である。現在、発光ダイオード照明管の多くは、複数の発光ダイオードのライトバー（ｌｉｇｈｔ  ｂａｒ）、ライトバーを設置するための支持板、及びライトバーと支持板を覆うための上ランプケースと下ランプケースを含むようにしている。
【０００３】
図１Ａは、現在汎用の発光ダイオード照明管の立体模式図を示すものである。図１Ａに示すように、現在汎用の発光ダイオード照明管１００は、ライトバー１１０、支持板１２０、上ランプケース１３２及び下ランプケース１３４を含む。ライトバー１１０は、複数の発光ダイオード１１２を備えており、支持板１２０の上に設置される。支持板１２０は、下ランプケース１３４に設置される。上ランプケース１３２は、接着剤で下ランプケース１３４と接着することによって、ライトバー１１０と支持板１２０をカバーする。
【０００４】
図１Ｂは、図１Ａの発光ダイオード照明管の分解模式図を示すものである。図１Ａと図１Ｂに示すように、下ランプケース１３４は、一対の横方向スロットＳ１と、凹部１３４ｒと、を有する。一対の横方向スロットＳ１は、互いに対向するように凹部１３４ｒの内側に露出する。横方向スロットＳ１と凹部１３４ｒは、発光ダイオード照明管１００の長軸方向Ｄ１に沿って延伸する。支持板１２０の相対する両側はそれぞれ一対の横方向スロットＳ１に挿入されることによって、支持板１２０が下ランプケース１３４の凹部１３４ｒの中に設置される。
【０００５】
発光ダイオード照明管１００の組立工程において、先ず、ライトバー１１０が支持板１２０の上に設置される。続いて、支持板１２０の両側を長軸方向Ｄ１に沿って一対の横方向スロットＳ１に挿入することによって、支持板１２０と下ランプケース１３４の組立を完了する。続いて、接着剤で上ランプケース１３２と下ランプケース１３４を接着することによって、上ランプケース１３２はライトバー１１０と支持板１２０をカバーする。これにより、発光ダイオード照明管１００の組立を完了する。
【０００６】
しかしながら、従来の組立工程は、実行の時、幾つかの問題点がある。特に支持板１２０と下ランプケース１３４を組み立てる時、不具合の状況がある。具体的に言えば、支持板１２０と下ランプケース１３４を製造する時、製造誤差があるため、製造した支持板１２０と下ランプケース１３４のサイズと外形は製造誤差のせいで合わないことがある。すると、支持板１２０を一対の横方向スロットＳ１に挿入し難くなる問題点がある。
【０００７】
上述した部品のサイズと外形が合わない状況は、発光ダイオード照明管１００の長さＬ１が長すぎる場合に多発する。発光ダイオード照明管１００の長さＬ１が長すぎる場合、支持板１２０を横方向スロットＳ１に組み込む時、支持板１２０が横方向スロットＳ１に詰まって動かない恐れがある。すると、支持板１２０と下ランプケース１３４の組立の困難性が高くなるだけではなく、支持板１２０と下ランプケース１３４を組み立てることができないことすらある。
【発明の概要】
【発明が解決しようとする課題】
【０００８】
本発明は、支持板と下ランプケースの組立の困難性を低減することができる発光装置を提供することにある。
【課題を解決するための手段】
【０００９】
本発明に係る発光装置は、下ランプケース、支持部、発光素子及び上ランプケースを含む。下ランプケースは、収容溝及び一対の第１の係合部を有する。収容溝は、一対の第１の係合部の間に位置する。支持部は、発光素子設置エリアと、発光素子設置エリア以外のエリアに位置する保持部と、を有する。支持部は、収容溝の内部に設置される。発光素子は、発光素子設置エリアの上に設置される。上ランプケースは、一対の第２の係合部を有する。第１の係合部と第２の係合部を相互に係合することによって、上ランプケースは、支持部と発光素子をカバーする。
【００１０】
支持部は、一対の挿入部又は一対の係止部を含む。下ランプケースは、一対のスロット又は一対の係止溝を含む。一対の挿入部を一対のスロットに挿入すること又は一対の係止部を一対の係止溝に係止することによって、支持部と下ランプケースの組立を完了する。これにより、支持部と下ランプケースの組立は容易になるため、全体の組立の困難性を低減することができる。
【発明の効果】
【００１１】
本発明において、支持部が下ランプケースの収容溝に固定されるように一対の挿入部を一対のスロットに挿入すること又は一対の係止部を一対の係止溝に係止することによって、支持部と下ランプケースの組立を完了する。これにより、支持部と下ランプケースは丈夫に組み合わせることができる。また、従来の技術と比べると、本発明において、支持部と下ランプケースの組立が容易になるだけではなく、発光装置の長さを長くするとしても、支持部が下ランプケースに詰まって動かないことはない。これにより、本発明は、発光装置の組立の困難性を低減することができるため、製造効率を向上でき、発光装置を効率的に大量製造することができる。
【図面の簡単な説明】
【００１２】
【図１Ａ】現在汎用の発光ダイオード照明管の立体模式図を示すものである。
【図１Ｂ】図１Ａの発光ダイオード照明管の分解模式図を示すものである。
【図２Ａ】本発明の第１の実施例に係る発光装置の立体模式図を示すものである。
【図２Ｂ】図２Ａの発光装置の分解模式図を示すものである。
【図３Ａ】本発明の第２の実施例に係る発光装置の立体模式図を示すものである。
【図３Ｂ】図３Ａの発光装置の分解模式図を示すものである。
【発明を実施するための形態】
【００１３】
以下、本明細書と図面に開示された本発明の実施形態は、本発明の技術内容をより分かりやすく説明し、本発明の理解を助けるために実施例を挙げたことに過ぎず、本発明の範囲を限定するものではない。ここに開示された実施形態以外にも、本発明の技術的思想に基づく他の変形例も実施可能であることは、本発明の属する技術分野における当業者に自明なことである。
【実施例】
【００１４】
図２Ａは、本発明の第１の実施例に係る発光装置の立体模式図を示すものである。図２Ｂは、図２Ａの発光装置の分解模式図を示すものである。図２Ａと図２Ｂに示すように、発光装置２００は、発光素子２１０、支持部２２０、上ランプケース２３２及び下ランプケース２３４を含む。発光素子２１０は支持部２２０の上に設置される。上ランプケース２３２と下ランプケース２３４とは結合できる。
【００１５】
具体的に言えば、発光素子２１０は、複数の発光ダイオード（図示せず）を含むライトバーであってもよい。支持部２２０は、発光素子設置エリア２２２と、発光素子設置エリア２２２以外のエリアに位置する保持部２２４と、を含む。発光素子２１０は、発光素子設置エリア２２２の上に設置される。発光素子設置エリア２２２は、保持部２２４の表面に凹設されると共に、保持部２２０における凹設エリアである。発光素子２１０は、凹設エリアに位置する。
【００１６】
下ランプケース２３４は、収容溝２３４ｒ、一対のスロット２３４ｈ及び一対の第１の係合部２３４ｂを有する。支持部２２０は、一対の挿入部２２６を更に含む。一対の挿入部２２６は、保持部２２４の両側から突出して下向きに延伸する。具体的に言えば、保持部２２４は、互いに相対する上表面２２４ａと下表面２２４ｂを有する。発光素子設置エリア２２２は、保持部２２４の上表面２２４ａに露出する。一対の挿入部２２６は、保持部２２４の下表面２２４ｂに突出すると共に、上表面２２４ａに突出していない。即ち、一対の挿入部２２６は、下表面２２ｂのみから下向きに延伸する。
【００１７】
一対の挿入部２２６は、一対のスロット２３４ｈにそれぞれ挿入できるように一対のスロット２３４ｈにそれぞれ対応する。一対の挿入部２２６が一対のスロット２３４ｈに挿入されることによって、支持部２２０が収容溝２３４ｒに固定される。これにより、支持部２２０が収容溝２３４ｒの内部に設置される。また、収容溝２３４ｒは、一対の第１の係合部２３４ｂの間に位置する。一対のスロット２３４ｈは、収容溝２３４ｒと一対の第１の係合部２３４ｂとの間のエリアに平行設置される。
【００１８】
一対の第１の係合部２３４ｂは、上ランプケース２３２と下ランプケース２３４を結合するためのものである。具体的に言えば、第１の係合部２３４ｂは例えば係合溝であり、上ランプケース２３２は例えばフックである一対の第２の係合部２３２ｂを有する。第２の係合部２３２ｂと第１の係合部２３４ｂとが相互に係合できるように、第２の係合部２３２ｂは第１の係合部２３４の中に係合される。
【００１９】
上述したように、一対の第２の係合部２３２ｂと一対の第１の係合部２３４ｂとが相互に係合することによって、上ランプケース２３２と下ランプケース２３４が結合できると共に、上ランプケースは支持部２２０と発光素子２１０をカバーすることができる。これにより、上ランプケース２３２と下ランプケース２３４は、発光素子２１０と支持部２２０をカバーすることができる。また、上ランプケース２３２は、支持部２２０の保持部２２４を押付けるための一対の押付部２３２ｃを更に有する。図２Ａに示すように、第２の係合部２３２ｂと第１の係合部２３４ｂとが相互に係合した後、一対の押付部２３２ｃは一対の保持部２２４をそれぞれ押付けるようになっている。
【００２０】
本実施例において、発光装置２００は発光ダイオードを使用する照明管である。発光装置２００の形状は長尺状であってもよいが、特に限定されていない。本実施例において、発光装置２００の形状に合わせるために、上ランプケース２３２と下ランプケース２３４の形状は長尺状であるが、これに限定されるものではない。この場合、発光装置２００、上ランプケース２３２及び下ランプケース２３４の何れも長軸と短軸を有する。長軸方向Ｄ２は短軸方向Ｄ３に垂直である。上ランプケース２３２と下ランプケース２３４の何れも照明管の長軸方向Ｄ２に沿って延伸する。
【００２１】
図２Ｂに示すように、上ランプケース２３２と下ランプケース２３４のほかに、発光素子２１０と支持部２２０は同じく長尺状であると共に、長軸方向Ｄ２に沿って延伸する。また、形状と言えば、第１の係合部２３４ｂ、第２の係合部２３２ｂ、収容溝２３４ｒ、スロット２３４ｈ、挿入部２２６及び発光素子設置エリア２２２の何れも長軸方向Ｄ２に沿って延伸する。
【００２２】
一対の挿入部２２６が下表面２２４ｂから下向きに延伸すると共に下ランプケース２３４の一対のスロット２３４ｈにそれぞれ挿入されることによって、支持部２２０が収容溝２３４ｒに固定されるようになっているため、従来の技術と比べると、支持部２２０と下ランプケース２３４の組立は容易になる。また、支持部２２０と下ランプケース２３４を組み立てる時、発光装置２００の長さＬ２は長くても、支持部２２０がスロット２３４ｈに詰まって動かなくなることはない。
【００２３】
また、発光装置２００における上ランプケース２３２と下ランプケース２３４は第１の係合部２３２ｂと第１の係合部２３４ｂが相互に係合したことで結合するため、別途に接着剤で接着することなく、上ランプケース２３２と下ランプケース２３４は直接に結合することができる。これにより、接着方式で上ランプケース１３２と下ランプケース１３４を結合する図１Ａと図１Ｂに示す従来の技術と比べると、本発明に係る発光装置２００の組立工程は、接着剤で上ランプケース２３２と下ランプケース２３４を接着する必要がないため、組立工程の材料コストを低減できる。
【００２４】
図３Ａは、本発明の第２の実施例に係る発光装置の立体模式図を示すものである。図３Ｂは、図３Ａの発光装置の分解模式図を示すものである。図３Ａ及び図３Ｂに示すように、本実施例の発光装置３００は、発光素子２１０、支持部３２０、上ランプケース２３２及び下ランプケース３３４を含む。発光装置３００は発光装置２００の構造と類似すると共に同じ効果を奏することができる。
【００２５】
例を挙げて説明すると、下ランプケース３３４と支持部３２０は、長軸方向Ｄ２に沿って延伸する。下ランプケース３３４は、収容溝３３４ｒ及び一対の第１の係合部２３４ｂを有する。一対の第１の係合部２３４ｂの何れも係合溝である。一対の第１の係合部２３４ｂは上ランプケース２３２の第２の係合部２３２ｂと相互に係合することによって、上ランプケース２３２と下ランプケース３３４を結合する。
【００２６】
また、支持部３２０は、発光素子設置エリア２２２と、発光素子設置エリア２２２以外のエリアに位置する保持部２２４と、を含む。発光素子設置エリア２２２は、保持部２２４の表面に凹設される。発光素子２１０は、発光素子設置エリア２２２の上に設置される。上ランプケース２３２は、支持部３２０の保持部２２４を押付けるための押付部２３２ｃを含む。
【００２７】
以下、発光装置３００と発光装置２００の相違点について説明する。具体的に言えば、支持部３２０は一対の係止部３２６を更に含む。収容溝３３４ｒの内部には一対の係止溝３３４ｈが設けられる。一対の係止溝３３４ｈは、収容溝３３４ｒ内部における対応する両側にそれぞれ位置する。係止部３２６は、一対の係止溝３３４にそれぞれ対応するように、保持部２２４の両側から突出延伸する。具体的に言えば、一対の係止部３２６の何れも保持部２２４の下表面２２４ｂから突出すると共に、上表面２２４ａに突出していない。即ち、一対の係止部３２６は下表面２２４ｂのみから下向きに延伸する。
【００２８】
図３Ａに示すように、支持部３２０と下ランプケース３３４を組み立てる時、一対の係止部３２６を収容溝３３４ｒに挿入すると共に、一対の係止部３２６の一端を一対の係止溝３３４ｈに挿入することによって、一対の係止部３２６と一対の係止溝３３４ｈを係止させる。一対の係止部３２６と一対の係止溝３３４ｈを係止することによって、支持部３２０が収容溝３３４ｒに固定される。これにより、支持部３２０と下ランプケース３３４が相互に結合する。
【００２９】
上述したように、本発明において、支持部が下ランプケースの収容溝に固定されるように一対の挿入部を一対のスロットに挿入すること又は一対の係止部を一対の係止溝に係止することによって、支持部と下ランプケースの組立を完了した。これにより、支持部と下ランプケースは丈夫に組み合わせることができる。また、従来の技術と比べると、本発明において、支持部と下ランプケースの組立が容易になるだけではなく、発光装置の長さを長くするとしても、支持部が下ランプケースに詰まって動かないことはない。これにより、本発明は、発光装置の組立の困難性を低減することができるため、製造効率を向上でき、発光装置を効率的に大量製造することができる。
【００３０】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【符号の説明】
【００３１】
１００  発光ダイオード照明管
１１０  ライトバー
１１２  発光ダイオード
１２０  支持板
１３２、２３２  上ランプケース
１３４、２３４、３３４  下ランプケース
１３４ｒ  凹部
２００、３００  発光装置
２１０  発光素子
２２０、３２０  支持部
２２２  発光素子設置エリア
２２４  保持部
２２４ａ  上表面
２２４ｂ  下表面
２２６  挿入部
２３２ｂ  第２の係合部
２３２ｃ  押付部
２３４ｂ  第１の係合部
２３４ｈ  スロット
２３４ｒ、３３４ｒ  収容溝
３２６  係止部
３３４ｈ  係止溝
Ｄ１、Ｄ２  長軸方向
Ｄ３  短軸方向
Ｌ１、Ｌ２  長さ
Ｓ１  横方向スロット
【図１Ａ】
2013191536.tif 000003
【図１Ｂ】
2013191536.tif 000004
【図２Ａ】
2013191536.tif 000005
【図２Ｂ】
2013191536.tif 000006
【図３Ａ】
2013191536.tif 000007
【図３Ｂ】
2013191536.tif 000008